(57)【要約】【課題】簡単な構成で各コネクタモジュールのＩＤを設定することが可能なコネクタモジュール及びコネクタモジュールのＩＤ設定方法を提供する。【解決手段】各ＩＤ設定端子ＩＤ０〜ＩＤ３とグランド端子ＧＮＤとの間に、ワイヤワイヤボンドＬ０〜Ｌ３を設ける。そして、所望するＩＤ設定端子ＩＤ０〜ＩＤ３とグランド端子ＧＮＤとの間に、直流電源１４を接続することにより、対象となるワイヤボンドに電流を流し、ワイヤボンドを発熱させて切断する。そして、切断するワイヤボンドの組み合わせにより、コネクタモジュール１１のＩＤを設定することができる。従って、極めて簡便な方法でＩＤの設定が可能となり、且つ、コネクタモジュール１１を所定位置に設置した後にＩＤの設定が可能となるので、設置ミスなどの問題を回避できる。【選択図】図３
2012243188.tif 000002
【特許請求の範囲】
【請求項１】
複数のＩＤ設定端子を有する電子部品を備え、前記複数のＩＤ設定端子と、所定の電極との接続状態により、ＩＤを設定するコネクタモジュールにおいて、
前記複数のＩＤ設定端子は、それぞれワイヤボンドを介して前記所定の電極に接続され、前記ワイヤボンドは、所定値以上の電流が通電したときに切断されることを特徴とするコネクタモジュール。
【請求項２】
前記所定の電極は、電源、またはグランドのうちの一方であることを特徴とする請求項１に記載のコネクタモジュール。
【請求項３】
複数のＩＤ設定端子を有する電子部品を備え、前記複数のＩＤ設定端子と、所定の電極との接続状態により、ＩＤを設定するコネクタモジュールのＩＤ設定方法において、
前記複数のＩＤ設定端子は、それぞれワイヤボンドを介して前記所定の電極に接続され、前記ワイヤボンドは、所定値以上の電流が通電したときに切断される特性を有し、
少なくとも一つの前記ＩＤ設定端子と、前記所定の端子との間に所定値以上の電流を流すことにより、このＩＤ設定端子と前記所定の端子との間に設けられた前記ワイヤボンドを切断する工程を有することを特徴とするコネクタモジュールのＩＤ設定方法。
【請求項４】
前記所定の電極は、電源、またはグランドのうちの一方であることを特徴とする請求項３に記載のコネクタモジュールのＩＤ設定方法。
【請求項５】
前記所定値以上の電流を流して前記ワイヤボンドを切断する工程は、前記コネクタモジュールが非通電状態のときに実行することを特徴とする請求項３または請求項４のいずれかに記載のコネクタモジュールのＩＤ設定方法。
【発明の詳細な説明】
【技術分野】
【０００１】
本発明は、ＩＤが設定されて作動するコネクタモジュール、及び該コネクタモジュールのＩＤを設定するＩＤ設定方法に関する。
【背景技術】
【０００２】
例えば、車両内通信として使用されるＬＩＮ（Local Interconnect Network）では、車両内に設置される複数のコネクタモジュールを用いて通信が行われる。このようなコネクタモジュールは、個々のコネクタモジュールを区別するためにそれぞれ固有のＩＤが設定される。
【０００３】
従来におけるコネクタモジュールは、図８に示すように、コネクタモジュール１０１に搭載されるＩＣ１０２の、ＩＤ設定用の端子１２０〜１２２と、ＩＤ設定端子１０３に接続された接続用端子１１０〜１１２との接続によりＩＤを設定する。例えば、図８（ａ）に示すように、端子１２０と１１０を接続した場合には、このＩＣ１０２は「ノード０」に設定される。また、図８（ｂ）に示すように、端子１２１と１１１を接続した場合にはこのＩＣ１０２は「ノード１」に設定され、図８（ｃ）に示すように、端子１２２と１１２を接続した場合にはこのＩＣ１０２は「ノード２」に設定される。
【０００４】
ところが、このようなＩＤの設定方法では、各コネクタモジュール１０１の基板毎に予めノードを設定する必要があるので、コネクタモジュール１０１の取付位置を間違った場合には、通信システムが正常に作動しなくなる。
【０００５】
そこで、このような問題を解決するために、ＩＤ（ノード番号）が未設定のコネクタモジュールを所定の取付位置に設置し、その後に各コネクタモジュールのＩＤを設定する方法が考えられている。その従来例として、例えば、特開２０１０−２１５１６３号公報（特許文献１）に記載されたものが知られている。
【０００６】
該特許文献１ではスレーブ装置の識別子を設定する際に、ディージーチェーン接続によりマスター装置から各スレーブ装置にデータを送って識別子を設定することが開示されている。しかし、マスター装置とスレーブ装置との間のデータ通信により各スレーブ装置の識別子を設定する方式では、装置構成が複雑となりコストアップに繋がるという欠点がある。
【０００７】
また、特開平４−１９１９５２号公報（特許文献２）には、共通バスに接続される複数のスロットにそれぞれ機番設定コネクタを設けることが開示され、該機番設定コネクタには、機番を決めるためのケーブルを１ビットに対して２本ずつ設けている。そして、２本のケーブルを短絡させた場合には「０」、開放した場合には「１」となるように機番を設定することが可能となる。しかし、特許文献２では、各スロット毎に機番設定コネクタを設ける必要があり、装置が大型化するという欠点がある。
【先行技術文献】
【特許文献】
【０００８】
【特許文献１】特開２０１０−２１５１６３号公報
【特許文献２】特開平４−１９１９５２号公報
【発明の概要】
【発明が解決しようとする課題】
【０００９】
上述したように、特許文献１に開示された従来例では、各スレーブ装置の識別子を決定するために通信処理を行う必要があり、特許文献２に開示された従来例では機番を設定するためのコネクタが必要になるので、装置構成が大規模化するという問題があった。
【００１０】
本発明は、このような従来の課題を解決するためになされたものであり、その目的とするところは、簡単な構成で各コネクタモジュールのＩＤを設定することが可能なコネクタモジュール及びコネクタモジュールのＩＤ設定方法を提供することにある。
【課題を解決するための手段】
【００１１】
上記目的を達成するため、本願請求項１に記載のコネクタモジュールは、複数のＩＤ設定端子を有する電子部品を備え、前記複数のＩＤ設定端子と、所定の電極との接続状態により、ＩＤを設定するコネクタモジュールにおいて、前記複数のＩＤ設定端子は、それぞれワイヤボンドを介して前記所定の電極に接続され、前記ワイヤボンドは、所定値以上の電流が通電したときに切断されることを特徴とする。
【００１２】
請求項２に記載の発明は、前記所定の電極は、電源、またはグランドのうちの一方であることを特徴とする。
【００１３】
請求項３に記載のコネクタモジュールのＩＤ設定方法は、複数のＩＤ設定端子を有する電子部品を備え、前記複数のＩＤ設定端子と、所定の電極との接続状態により、ＩＤを設定するコネクタモジュールのＩＤ設定方法において、前記複数のＩＤ設定端子は、それぞれワイヤボンドを介して前記所定の電極に接続され、前記ワイヤボンドは、所定値以上の電流が通電したときに切断される特性を有し、少なくとも一つの前記ＩＤ設定端子と、前記所定の端子との間に所定値以上の電流を流すことにより、このＩＤ設定端子と前記所定の端子との間に設けられた前記ワイヤボンドを切断する工程を有することを特徴とする。
【００１４】
請求項４に記載の発明は、前記所定の電極は、電源、またはグランドのうちの一方であることを特徴とする。
【００１５】
請求項５に記載の発明は、前記所定値以上の電流を流して前記ワイヤボンドを切断する工程は、前記コネクタモジュールが非通電状態のときに実行することを特徴とする。
【発明の効果】
【００１６】
本発明に係るコネクタモジュール及びコネクタモジュールのＩＤ設定方法では、所望するＩＤ設定端子と所定の電極（電源、またはグランド）との間に電流を流して、この間に設けられるワイヤボンドを切断してＩＤ（ノード番号）を設定するので、ＩＤの設定が容易であり、また、コネクタモジュールを所定の位置に設置した後にＩＤの設定作業を行うことができるので、設置ミスなどの問題を回避することができる。
【図面の簡単な説明】
【００１７】
【図１】本発明が適用されるコネクタモジュールの全体構成図である。
【図２】本発明の一実施形態に係るコネクタモジュールの、ＩＣとＩＤ設定用端子との接続を示す説明図である。
【図３】本発明の一実施形態に係るコネクタモジュールの、グランド端子とＩＤ設定用端子との間に電流を流す場合の説明図である。
【図４】本発明の一実施形態に係るコネクタモジュールの、「ノード０」〜「ノード２」の設定例を示す説明図である。
【図５】本発明の一実施形態に係るコネクタモジュールの、各ＩＤ設定端子とＩＣとの接続の状態を示す説明図である。
【図６】本発明の一実施形態に係るコネクタモジュールの、ＩＤの設定手順を示すフローチャートである。
【図７】本発明の一実施形態に係るコネクタモジュールの、ＩＣの構成の変形例を示す説明図である。
【図８】従来におけるコネクタモジュールの構成を示す説明図である。
【発明を実施するための形態】
【００１８】
以下、本発明の実施形態を図面に基づいて説明する。図１は、本発明の一実施形態に係るコネクタモジュール１１の構成を示す説明図、図２は、コネクタモジュール１１に搭載されるＩＣ１３、及びこのＩＣ１３に接続されるグランド端子ＧＮＤ（所定の電極）、及び各ＩＤ設定端子を示す説明図である。
【００１９】
図１に示すように、コネクタモジュール１１は、ワイヤハーネス等の電線と接続するための複数の端子１２を備えており、更に、該コネクタモジュール１１のＩＤを特定するための、ＩＤ設定端子ＩＤ０〜ＩＤ３、及びグランド端子ＧＮＤを備えている。
【００２０】
また、図２に示すように、コネクタモジュール１１には、ＩＣ（電子部品）１３が搭載されており、その周囲には、４つのＩＤ設定端子ＩＤ０〜ＩＤ３、及びグランド端子ＧＮＤが設けられている。そして、各ＩＤ設定端子ＩＤ０〜ＩＤ３、及びグランド端子ＧＮＤの一方の端部はコネクタモジュール１１の端辺よりも若干外側に突起しており、他方の端部は、それぞれ金属線Ｗを介してＩＣ１３に接続されている。
【００２１】
更に、各ＩＤ設定端子ＩＤ０〜ＩＤ３は、ワイヤボンドＬ０〜Ｌ３を介してグランド端子ＧＮＤに接続されている。即ち、ＩＤ設定端子ＩＤ０は、ワイヤボンドＬ０を介してグランド端子ＧＮＤに接続され、ＩＤ設定端子ＩＤ１は、ワイヤボンドＬ１を介してグランド端子ＧＮＤに接続され、ＩＤ設定端子ＩＤ２は、ワイヤボンドＬ２を介してグランド端子ＧＮＤに接続され、ＩＤ設定端子ＩＤ３は、ワイヤボンドＬ３を介してグランド端子ＧＮＤに接続されている。
【００２２】
図５（ａ），（ｂ）は、金属線ＷとＩＣ１３との接続の状態、及びＩＣ１３の回路構成を示す説明図である。図５（ｂ）に示すように、ＩＣ１３はＩＤ判定装置２１を備えており、更に、接続点ｃｈ０〜ｃｈ３、及びグランド接続点を備えており、各ＩＤ設定端子ＩＤ０〜ＩＤ３の先端部は、金属線Ｗを介して接続点ｃｈ０〜ｃｈ３に接続され、グランド端子ＧＮＤはグランド接続点に接続されている。また、各接続点ｃｈ０〜ｃｈ３は抵抗を介して電圧Ｖccに接続されている。従って、各接続点ｃｈ０〜ｃｈ３は、グランドに接続されている場合にはグランドレベルの電圧となり、グランドに接続されていない場合には電圧Ｖccとなる。
【００２３】
そして、ＩＤ判定装置２１では、各接続点ｃｈ０〜ｃｈ３の電圧を測定することにより、このＩＣ１３のノード番号（ＩＤ）を認識する。
【００２４】
ワイヤボンドＬ０〜Ｌ３は、アルミニウム、銅、或いは金等の材質で構成された細径の電線であり、所定値以上の電流が流れるとジュール熱による温度上昇により切断される特性を備えている。そして、本実施形態では、図３に示すように、各ＩＤ設定端子ＩＤ０〜ＩＤ３のうちの任意の端子と、グランド端子ＧＮＤとの間に直流電源１４を接続し、ワイヤボンドＬ０〜Ｌ３のうちの少なくとも１つを切断する。
【００２５】
例えば、グランド端子ＧＮＤとＩＤ設定端子ＩＤ０との間に直流電源１４を接続すると、図４（ａ）に示すようにワイヤボンドＬ０が切断される。すると、図５（ｂ）に示す接続点ｃｈ１〜ｃｈ３はグランド電位となり、接続点ｃｈ０のみが電圧Ｖccとなるので、ＩＤ判定装置２１では、このＩＣ１３が「ノード０」であることを認識することができる。
【００２６】
また、図４（ｂ），（ｃ）はそれぞれ「ノード１」、「ノード２」に設定された場合を示す説明図であり、グランド端子ＧＮＤとＩＤ設定端子ＩＤ１との間に直流電源１４を接続してワイヤボンドＬ１を切断することにより、このＩＣ１３を「ノード１」に設定することができ（図４（ｂ）の場合）、グランド端子ＧＮＤとＩＤ設定端子ＩＤ２との間に直流電源１４を接続してワイヤボンドＬ２を切断することにより、このＩＣ１３を「ノード２」に設定することが可能となる（図４（ｃ）の場合）。
【００２７】
次に、上述した本実施形態に係るコネクタモジュールにてＩＤを設定する際の処理手順について、図６に示すフローチャートを参照して説明する。この処理は、ＩＣ１３が非通電状態のときに行う。
【００２８】
初めに、ステップＳ１の処理において、ｃｈ３を「Ｌ」とするか「Ｈ」とするかを決定する。そして、「Ｈ」とする場合には、ステップＳ２において、ユーザは図２に示すＩＤ３とＧＮＤとの間に直流電源１４を接続してワイヤボンドＬ３を切断する。
【００２９】
次いで、ステップＳ３の処理において、ｃｈ２を「Ｌ」とするか「Ｈ」とするかを決定する。そして、「Ｈ」とする場合には、ステップＳ４において、ユーザはＩＤ２とＧＮＤとの間に直流電源１４を接続してワイヤボンドＬ２を切断する。
【００３０】
ステップＳ５の処理において、ｃｈ１を「Ｌ」とするか「Ｈ」とするかを決定する。そして、「Ｈ」とする場合には、ステップＳ６において、ユーザはＩＤ１とＧＮＤとの間に直流電源１４を接続してワイヤボンドＬ１を切断する。
【００３１】
ステップＳ７の処理において、ｃｈ０を「Ｌ」とするか「Ｈ」とするかを決定する。そして、「Ｈ」とする場合には、ステップＳ８において、ユーザはＩＤ０とＧＮＤとの間に直流電源１４を接続してワイヤボンドＬ０を切断する。こうして、所望するワイヤボンドＬ０〜Ｌ３を遮断することにより、コネクタモジュール１１のノード番号（ＩＤ）を設定することができるのである。
【００３２】
このようにして、本実施形態に係るコネクタモジュール１１では、コネクタのノード番号（ＩＤ）を設定する場合には、所望するＩＤ設定端子ＩＤ０〜ＩＤ３とグランド端子ＧＮＤとの間に直流電源１４を接続し、対象となるワイヤボンドＬ０〜Ｌ３に電流を流して、このワイヤボンドを切断することにより、ＩＤを設定することができる。従って、極めて容易で、且つ、簡便な方法でコネクタモジュール１１のＩＤを設定することができる。
【００３３】
また、直流電源１４を接続して電圧を印加する操作はＩＣ１３が非通電状態のときに行われるので、ＩＣ１３に電圧が印加されることにより損傷することを回避することができる。
【００３４】
次に、本実施形態の変形例について説明する。図７は、変形例に係るコネクタモジュール１１ａに搭載されるＩＣ１３ａの構成を示す回路図である。図７に示すように、変形例に係るコネクタモジュール１１ａは、各ＩＤ設定端子ＩＤ０〜ＩＤ３と、電源端子Ｅ１（所定の電極）との間にそれぞれワイヤボンドＬ０〜Ｌ３が設けられている。
【００３５】
また、ＩＣ１３は、接続点ｃｈ０〜ｃｈ３、及び電源Ｖccを備えており、電源端子Ｅ１は金属線Ｗを介して電源Ｖccに接続され、ＩＤ設定端子ＩＤ０〜ＩＤ３はそれぞれ金属線Ｗを介して接続点ｃｈ０〜ｃｈ３に接続されている。また、接続点ｃｈ０〜ｃｈ３はそれぞれ抵抗を介してグランドに接続されている。
【００３６】
そして、前述した実施形態と同様に、所望するＩＤ設定端子ＩＤ０〜ＩＤ３とグランド端子ＧＮＤとの間に直流電源１４を接続することにより、対象となるワイヤボンドＬ０〜Ｌ３を切断して、当該コネクタモジュール１１ａのノード番号（ＩＤ）を設定する。例えば、ワイヤボンドＬ０が遮断されると、ｃｈ１〜ｃｈ３の電圧はＶccとなり、ｃｈ０は抵抗を介してグランドに接続されるのでグランドレベルとなる。そして、ＩＤ判定装置２１は、各接続点ｃｈ０〜ｃｈ３の電圧を測定することにより、ノード番号（ＩＤ）を認識することができる。
【００３７】
なお、上記の例では、ワイヤボンドＬ０〜Ｌ３のうちの１つを切断してＩＤを設定する例について説明したが、２つ、或いは３つのワイヤボンドを切断することも可能である。従って、切断するワイヤボンドを選択することにより、合計で８通りのＩＤの設定が可能となる。
【００３８】
また、上記の実施形態では、４個のＩＤ設定端子ＩＤ０〜ＩＤ３を備える例について説明したが、本発明はこれに限定されるものではなく、２，３個、或いは５個以上のＩＤ設定端子を備えるコネクタモジュールについても適用することができる。
【００３９】
以上、本発明のコネクタモジュール及びコネクタモジュールの設定方法を図示の実施形態に基づいて説明したが、本発明はこれに限定されるものではなく、各部の構成は、同様の機能を有する任意の構成のものに置き換えることができる。
【産業上の利用可能性】
【００４０】
本発明は、コネクタモジュールのノード番号を簡便な方法で設定することに利用することができる。
【符号の説明】
【００４１】
１１，１１ａ  コネクタモジュール
１２  端子
１３，１３ａ  ＩＣ
１４  直流電源
２１  ＩＤ判定装置
ＩＤ０〜ＩＤ３  ＩＤ設定端子
ＧＮＤ  グランド端子
Ｌ０〜Ｌ３  ワイヤボンド
Ｗ  金属線
Ｅ１  電源端子
ｃｈ０〜ｃｈ３  接続点
【図１】
2012243188.tif 000003
【図２】
2012243188.tif 000004
【図３】
2012243188.tif 000005
【図４】
2012243188.tif 000006
【図５】
2012243188.tif 000007
【図６】
2012243188.tif 000008
【図７】
2012243188.tif 000009
【図８】
2012243188.tif 000010